(57)【要約】【課題】長い寿命及び優れた熱放散を有する交換可能なＬＥＤランプユニットを提供する。【解決手段】中央部分と複数の突出したウイングとを有する金属基板が設けられており、  該基板に取り付けられた、電気的に絶縁の、熱伝導性の回路板が設けられており、  前記ウイングのそれぞれに配置された少なくとも１つの発光ダイオードが設けられており、該発光ダイオードに、導電性のトレースが接続されている。【選択図】図１
2006210340.tif 000002
【特許請求の範囲】
【請求項１】
ランプのための電球において、
中央部分と複数の突出したウイングとを有する金属基板が設けられており、
該基板に取り付けられた、電気的に絶縁の、熱伝導性の回路板が設けられており、
前記ウイングのそれぞれに配置された少なくとも１つの発光ダイオードが設けられており、該発光ダイオードに、導電性のトレースが接続されていることを特徴とする、ランプのための電球。
【請求項２】
前記中央部分が平坦であり、前記ウイングが、脚を形成するように多数の角度で曲げられており、前記角度の内の第１の角度は、９０゜よりも大きく、前記角度の内の第２の角度は、前記平坦な中央部分に対して垂直である、請求項１記載の電球。
【請求項３】
前記第２の角度が圧縮されている、請求項２記載の電球。
【請求項４】
前記中央部分が多角形である、請求項２記載の電球。
【請求項５】
前記中央部分が五角形である、請求項２記載の電球。
【請求項６】
ＬＥＤランプにおいて、中央部分と複数の突出したウイングとを備えた金属基板を有する支持体を有する電球が設けられており、
前記基板に取り付けられた、電気的に絶縁の、熱伝導性の回路板が設けられており、
前記ウイングのそれぞれに少なくとも１つの発光ダイオードが配置されており、該発光ダイオードに、導電性のトレースが接続されていることを特徴とする、ＬＥＤランプ。
【請求項７】
前記中央部分が平坦であり、前記ウイングが、脚を形成するように多数の角度で曲げられており、前記角度の内の第１の角度が、９０゜よりも大きく、前記角度の内の第２の角度が、前記平坦な中央部分に対して垂直である、請求項６記載のＬＥＤランプ。
【請求項８】
前記中央部分が多角形である、請求項７記載のＬＥＤランプ。
【請求項９】
前記中央部分が五角形である、請求項８記載のＬＥＤランプ。
【請求項１０】
交換可能な電球のためのソケットにおいて、
ベースと、
該ベースから延びた、多角形の内部を有する、中空の台座と、
前記多角形の内部の形状に合致する外部を有する、熱伝導性の、多角形のコアと、
前記多角形の内部の内壁と、前記多角形のコアの外壁との間に設けられた間隙と、
該間隙に配置された複数の電気接点とが設けられていることを特徴とする、交換可能な電球のためのソケット。
【発明の詳細な説明】
【技術分野】
【０００１】
本発明は、ランプ、特に、交換可能なランプに関する。さらに具体的には、本発明は、自動車において使用するためのランプ、特に、発光ダイオード（ＬＥＤ）を使用するランプに関する。
【背景技術】
【０００２】
ＬＥＤは、自動車用途において、特にセンターハイマウントストップランプ（ＣＨＭＳＬ）においてしばらく使用されてきた。ＬＥＤは、頑丈であり、寿命が極めて長い。ＣＨＭＳＬのために使用されるＬＥＤは、所定の位置に配線されており、一般的に、容易に交換することができない。最近では、ストップランプ及びテールライトのためにＬＥＤを使用することが増えているが、やはり、十分な光出力を備えた単純な交換可能なユニットは出現していない。本発明の譲受人に譲渡された出版された米国特許出願第２００３／００６３４７６号明細書は、シャフトの周囲に配置されたＬＥＤチップを有する交換可能なＬＥＤランプカプセルを開示しているが、このような構造においては熱放散が問題となるおそれがある。後者の問題の一部は生じる。なぜならば、自動車において使用するための所要の光出力を供給するために必要なパワー要求において、除去されなければならない大きな量の熱が生ぜしめられるか又はＬＥＤの寿命が著しく制限される。
【発明の開示】
【発明が解決しようとする課題】
【０００３】
したがって、本発明の目的は、従来技術の欠点を排除することである。
【０００４】
本発明の別の目的は、ＬＥＤライトを改良することである。
【０００５】
本発明の別の目的は、交換可能なＬＥＤランプユニットを提供することである。
【０００６】
本発明のさらに別の目的は、寿命が長く、熱放散の優れた、交換可能なＬＥＤランプユニットである。
【課題を解決するための手段】
【０００７】
これらの目的は、発明の１つの態様において、電球が、中央部分と複数の突出したウイングとを備えた金属基板を有する支持体を有しており、前記基板に、電気的に絶縁性の、熱伝導性の回路板が固定されており、前記ウイングのそれぞれに少なくとも１つの発光ダイオードが位置決めされており、該発光ダイオードが、前記ウイングに接続された導電性のトレースを有しているような、ランプのためのＬＥＤ電球によって達成された。
【０００８】
電球はソケットに交換可能に嵌め込まれており、前記ソケットに、ベースが設けられており、該ベースから中空の台座が延びており、前記中空の台座が多角形の内部を有しており、熱伝導性の多角形のコアが設けられており、このコアが、前記多角形の内部の形状に対応した外部を有しており、前記多角形の内部の内壁と前記多角形のコアの外壁との間に間隙が設けられており、該間隙に複数の電気接点が位置決めされている。
【０００９】
金属基板と熱伝導性コアとの緊密な接触が、動作するランプからの良好な熱減少を保証する。
【発明を実施するための最良の形態】
【００１０】
本発明を、本発明のその他の目的、利点及び能力と共により理解するために、上記図面に関連した以下の開示及び添付の図面が参照される。
【００１１】
ここでより具体的に図面を参照すると、図１にはランプ１２のための電球５が示されている。電球５は、中央部分１６と複数の突出したウイング１８とを備えた金属基板１４を有する支持体１０を有している。同じ構成の、電気的に絶縁性の、熱伝導性の回路板２０が、基板１４に取り付けられており、少なくとも１つの発光ダイオード２２がそれぞれのウイング１８に配置されている。導電性のトレース２４が回路板の第１の側に形成されている。ウイング１８が曲がりやすくなるように、回路板の第２の側には線２５，２５ａに沿って溝が形成されている。図示された特定の実施形態において、中央部分１６は五角形であるが、Ｎが３以上のＮ個の辺を有するあらゆる多角形が本発明によって考慮されている。実用的な目的のために、Ｎは２〜１２であるべきである。図示したように、ウイング１８には、２つのＬＥＤ２２及び２つのアノードトレース２４ｂ及び２４ｃに接続された共通のカソード導電性トレース２４ａが設けられている。その他の回路が可能であり、ＬＥＤのための所望の光出力又は特定の動作シーケンスに依存する。
【００１２】
支持体１０が形成された後、ウイング１８は、図２及び図３に示されたように脚１９を形成するように線２５，２５ａに沿って多数の角度で曲げられる。第１の角度は９０゜よりも大きく、第２の角度は平坦な中央区分１６に対して垂直であり、これにより、脚１９がソケット３０に挿入されるのを可能にする。（２５ａに沿った）第２の曲げは、圧縮されるので、低電圧トレース２４ａ，２４ｂ，２４ｃに対して破壊的ではない。
【００１３】
ソケット３０は図３及び図４に示されており、ベース３２を有しており、このベースから中空の台座３４が延びている。中空の台座３４は、図示された実施形態においては五角形である少なくとも対応する多角形の内部３６を有している。熱伝導性のコア３８は、中空の台座内に配置されており、内部３６の形状に合致する外面３９を有している。コア３８は、台座３４の上面を超えて延びている。
【００１４】
内部３６の内壁４２とコア３８の外壁４４との間に間隙４０が設けられており、複数の電気接点４６が間隙４０に嵌め込まれている。これらはばね接点であり、台座３４にインサート成形されることができる。
【００１５】
電球５の脚１９は、間隙４０に嵌め込まれ、電気接点４６はトレース２４ａ，２４ｂ，２４ｃに係合する。様々な回路構成に応じて、トレース２４は、接点４６に係合するための可変長さを有することができる。
【００１６】
金属基板１４の内面１４ａは、上面において及び、外面３９に沿って熱伝導性コア３８と緊密に接触しており、前記外面において、脚１９は、電気接点４６によって提供される張力によっても補助される緊密接触を形成している。
【００１７】
したがって、再現可能な、均一な金属対金属接触による優れた熱放散特性を有する、ＬＥＤ光源のための交換可能な電球及びソケットが提供される。
【００１８】
現時点で発明の好適な実施形態であると考えられるものが示されかつ説明されたが、添付の請求項によって定義されたような発明の範囲から逸脱することなく、様々な変更が行われることができることが当業者に明らかになるであろう。
【図面の簡単な説明】
【００１９】
【図１】本発明に態様による電球の実施形態の平面図である。
【図２】折り畳まれた後の図１の電球を示す斜視図であり、わかりやすくするためのＬＥＤは省略されている。
【図３】電球のためのソケットを部分的に断面で示した平面図である。
【図４】図３の４−４線に沿って見た断面図である。
【符号の説明】
【００２０】
５  電球、  １０  支持体、  １２  ランプ、  １４  金属基板、  １６  中央部分、  １８  ウイング、  １９  脚、  ２０  回路板、  ２２  発光ダイオード、  ２４  トレース、  ２５，２５ａ  線、  ３０  ソケット、  ３２  ベース、  ３４  台座、  ３６  内部、  ３８  コア、  ３９  外面、  ４０  間隙、  ４２  内壁、  ４６  電気接点
【図１】
2006210340.tif 000003
【図２】
2006210340.tif 000004
【図３】
2006210340.tif 000005
【図４】
2006210340.tif 000006